(57)【特許請求の範囲】
【請求項１】
胴部原紙１を丸めて、円筒又は角筒状に成形してなる筒状胴部１０と、該筒状胴部１０下端内周面及びその折り返し部１ａ内面にて底板部１５の貼着部１５ａがヒートシールされて取り付けられた底板部１５を備えるボトム部Ｄと、該筒状胴部１０上端の内周面及びその折り返し部１ｂ内面にて天板部１６の貼着部１６ａがヒートシールされて取り付けられた天板部１６を備えるトップ部Ｔとから構成される紙製缶容器Ａのトップ部Ｔを施蓋するオーバーキャップＢにおいて、紙製缶容器Ａのトップ部Ｔの外周面に嵌合する筒状側部２１と、該筒状側部２１の上部に設けた天板部２２とから構成され、該筒状側部２１の内周面には、トップ部Ｔの外周面に向かって圧接し且つ該トップ部Ｔの外周面に沿って、リング状に連続又は断続して突出する突起部２３を設け、前記天板部２２の外周には、少なくともその内面側がトップ部Ｔの上端縁に沿って平行なリング状の平坦部２４を設けた紙製缶容器用オーバーキャップであって、
前記天板部２２と平坦部２４との間に、トップ部Ｔ上端内周面の折り返し部１ｂに向かって圧接し且つ該折り返し部１ｂに沿って、リング状に連続又は断続して突出する内側突起部２５を設けたことを特徴とする紙製缶容器用オーバーキャップ。
【請求項２】
筒状胴部１０と、該筒状胴部１０下端内周面及びその折り返し部１ａ内面にて底板部１５の貼着部１５ａがヒートシールされて取り付けられた底板部１５を備えるボトム部Ｄと、該筒状胴部１０上端の内周面及びその折り返し部１ｂ内面にて天板部１６の貼着部１６ａがヒートシールされて取り付けられた天板部１６を備えるトップ部Ｔとから構成される紙製缶容器Ａのトップ部Ｔを施蓋するオーバーキャップＢにおいて、紙製缶容器Ａのトップ部Ｔの内周面に嵌合する筒状側部２１と、該筒状側部２１の上部に設けた天板部２２とから構成され、該筒状側部２１は、天板部２２側の上部筒状側部２１ａと下部筒状側部２１ｂとからなり、上部筒状側部２１ａと下部筒状側部２１ｂとの境界相当部分には、トップ部Ｔの内周上端面に沿って、リング状に連続又は断続して該下部筒状側部２１ｂ外周面より突出する突起部２１ｃを設け、前記下部筒状側部２１ｂの下端部にはリング状に連続又は断続して突起部２７を設け、前記紙製缶容器Ａのトップ部Ｔの折り返し部１ｂ下端部に設けられた内側凹陥部２８内に、前記下部筒状側部２１ｂ下端部の突起部２７を嵌合可能としたことを特徴とする紙製缶容器用オーバーキャップ。
【請求項３】
請求項２記載の紙製缶容器用オーバーキャップにおいて、前記紙製缶容器Ａのトップ部
Ｔの折り返し部１ｂ下端部の内側凹陥部２８が、前記折り返し部１ｂ下端部に沿って、該下端部を断続してスリット状に切り込むことにより切り取りして形成された切取部であることを特徴とする紙製缶容器用オーバーキャップ。
【請求項４】
請求項２記載の紙製缶容器用オーバーキャップにおいて、前記紙製缶容器Ａのトップ部Ｔの折り返し部１ｂ下端部の内側凹陥部２８が、前記折り返し部１ｂ下端部に沿って、該下端部を断続して凹陥状にプレスすることにより形成された凹陥部であることを特徴とする紙製缶容器用オーバーキャップ。
【請求項５】
請求項２記載の紙製缶容器用オーバーキャップにおいて、前記紙製缶容器Ａのトップ部Ｔの折り返し部１ｂ下端部の内側凹陥部２８が、前記折り返し部１ｂ下端と天板部１６上面との間に形成された間隙部であることを特徴とする紙製缶容器用オーバーキャップ。
【発明の詳細な説明】
【技術分野】
【０００１】
本発明は、液体包装用の筒状の紙製缶容器のオーバーキャップに関し、特に容器のトップ部の天板部に孔設された飲口部に、引っ張り剥離可能にピールオフフィルムを貼着して密封充填された紙製缶容器用オーバーキャツプに関する。
【背景技術】
【０００２】
一般に飲料等の液体が充填される液体包装用の円筒状又は角筒状の紙製缶容器は、紙を基材とし、容器の内層及び外層をヒートシール性及び耐水性に優れたポリオレフィン系樹脂層とする容器成形用原紙を材料として成形、製缶される。
【０００３】
このような紙製缶容器は、例えば、図７（ａ）に示すように、容器の筒状胴部となる下端部（ボトム側部）と上端部（トップ側部）とに折り返し部１ａ、１ｂを連設した胴部原紙１を丸めて、その左右両端部１１、１２を、図７（ｂ）に示すようにサイド貼り合わせ部１３にて重ね合わせ、ヒートシールにて貼り合わせ、円筒又は角筒状に成形して上端及び下端にそれぞれ開口部１４を備えた筒状胴部１０を形成する。
【０００４】
続いて、図７（ｃ）に示すように、リッド（天板部及び底板部）成形工程にて、胴部１０下部の開口部１４から、底板貼着部１５ａを立設して連設した底板部となる底板原紙１５を、その開口部１４内周面に底板貼着部１５ａ外周面を密接させて、該貼着部１５ａの立設高さの２倍の深さまで装填する。なお、天板部１６には飲口部１６ｂが孔設されている。
【０００５】
一方、胴部１０上部の開口部１４から、天板貼着部１６ａを立設して連設した天板部となる天板原紙１６を、胴部１０上部の開口部１４から、その開口部１４内周面に天板貼着部１６ａ外周面を密接させて、該貼着部１６ａの立設高さの２倍の深さまで装填する。図７（ｄ）は、その天板原紙１５又は１６の貼着部１５ａ又は１６ａを、胴部１０上部の開口部１４から該貼着部１５ａ又は１６ａの立設高さの２倍程度の深さまで装填した状態を示す部分側断面図である。
【０００６】
続いて、図７（ｄ）〜（ｅ）に示すように、胴部１０下部と上部のそれぞれ開口部１４
にある胴部原紙１の下端（ボトム側）（及び上端（トップ側））のそれぞれ折り返し部１ａ、１ｂを、胴部１０の筒内方に折り返し、その折り返された原紙１の折り返し部１ａ、１ｂの内周面を、それぞれ底板貼着部１５ａと天板貼着部１６ａの内周面に重ね合わせ、胴部１０下端（ボトム側）及び上端（トップ側）の内周面と折り返された原紙１の折り返し部１ａ、１ｂ内周面とにて、底板貼着部１５ａと天板貼着部１６ａのそれぞれ両面をかしめ、ヒートシールにて貼り合わせることにより、筒状胴部１０、底板部１５、天板部１６から構成される紙製の缶容器が製缶される。そして、天板部１６の飲口部１６ｂから液体内容物を缶容器内に充填し、図７（ｅ）に示すように飲口部１６ｂの上から引っ張り剥離性（ピールオフ性）のプルタブシート１６ｆを天板部１６表面に貼着して密封製缶される。特許文献１は紙製缶容器を成形するための成形装置の一例である。
【０００７】
このような紙製缶容器においては、図７（ｅ）に示す缶容器の天板部１６に貼着されているプルタブシート１６ｆを引っ張り剥離して、開口した飲口部１６ｂから、容器内のジュースなど飲料内容物を飲み、その途中で飲み残した場合には、その開口する飲口部１６ｂから異物が進入しないように、一般的には予め用意されたプラスチック製などのオーバーキャップを用いて容器の天板部を施蓋する必要があった。特許文献２、特許文献３は、そのオーバーキャップの一例である。
【０００８】
しかしながら、図７（ｅ）に示すように、前記缶容器の天板部１６側の筒状胴部１０上端（トップ部）には、その外周側に張り出すフランジ部など、施蓋した際にオーバーキャップを嵌合係止可能な機能がないため、缶容器のトップ部にオーバーキャップを固定することができず、単に被せるだけになってしまい、簡単に外れてしまうものであった。
【０００９】
以下に、本願に関連する先行技術文献を記載する。
【特許文献１】特開２００６−２７２８２０号公報
【特許文献２】特開２００４−１８２２７０号公報
【特許文献３】特開２００５−１７８８１２号公報
【発明の開示】
【発明が解決しようとする課題】
【００１０】
本発明の課題は、紙製缶容器トップ部又は飲み残しの紙製缶容器のトップ部を施蓋するための紙製缶容器用のオーバーキャップにおいて、紙製缶容器のトップ部に単に被せるだけでなく、その缶容器のトップ部（天板部）を被覆するように施蓋して嵌合固定でき、簡単に外れることがない紙製缶容器用のオーバーキャップを提供することにある。
【課題を解決するための手段】
【００１１】
本発明の請求項１に係る発明は、胴部原紙１を丸めて、円筒又は角筒状に成形してなる筒状胴部１０と、該筒状胴部１０下端内周面及びその折り返し部１ａ内面にて底板部１５の貼着部１５ａがヒートシールされて取り付けられた底板部１５を備えるボトム部Ｄと、該筒状胴部１０上端の内周面及びその折り返し部１ｂ内面にて天板部１６の貼着部１６ａがヒートシールされて取り付けられた天板部１６を備えるトップ部Ｔとから構成される紙製缶容器Ａのトップ部Ｔを施蓋するオーバーキャップＢにおいて、紙製缶容器Ａのトップ部Ｔの外周面に嵌合する筒状側部２１と、該筒状側部２１の上部に設けた天板部２２とから構成され、該筒状側部２１の内周面には、トップ部Ｔの外周面に向かって圧接し且つ該トップ部Ｔの外周面に沿って、リング状に連続又は断続して突出する突起部２３を設け、前記天板部２２の外周には、少なくともその内面側がトップ部Ｔの上端縁に沿って平行なリング状の平坦部２４を設けた紙製缶容器用オーバーキャップであって、
前記天板部２２と平坦部２４との間に、トップ部Ｔ上端内周面の折り返し部１ｂに向かって圧接し且つ該折り返し部１ｂに沿って、リング状に連続又は断続して突出する内側突起部２５を設けたことを特徴とする紙製缶容器用オーバーキャップである。
【００１２】
削除。
【００１３】
削除。
【００１４】
本発明の請求項２に係る発明は、筒状胴部１０と、該筒状胴部１０下端内周面及びその折り返し部１ａ内面にて底板部１５の貼着部１５ａがヒートシールされて取り付けられた底板部１５を備えるボトム部Ｄと、該筒状胴部１０上端の内周面及びその折り返し部１ｂ内面にて天板部１６の貼着部１６ａがヒートシールされて取り付けられた天板部１６を備えるトップ部Ｔとから構成される紙製缶容器Ａのトップ部Ｔを施蓋するオーバーキャップＢにおいて、紙製缶容器Ａのトップ部Ｔの内周面に嵌合する筒状側部２１と、該筒状側部２１の上部に設けた天板部２２とから構成され、該筒状側部２１は、天板部２２側の上部筒状側部２１ａと下部筒状側部２１ｂとからなり、上部筒状側部２１ａと下部筒状側部２１ｂとの境界相当部分には、トップ部Ｔの内周上端面に沿って、リング状に連続又は断続して該下部筒状側部２１ｂ外周面より突出する突起部２１ｃを設け、前記下部筒状側部２１ｂの下端部にはリング状に連続又は断続して突起部２７を設け、前記紙製缶容器Ａのトップ部Ｔの折り返し部１ｂ下端部設けられた内側凹陥部２８内に、前記下部筒状側部２１ｂ下端部の突起部２７を嵌合可能としたことを特徴とする紙製缶容器用オーバーキャップである。
【００１５】
本発明の請求項３に係る発明は、上記請求項２に係る紙製缶容器用オーバーキャップにおいて、前記紙製缶容器Ａのトップ部Ｔの折り返し部１ｂ下端部の内側凹陥部２８が、前記折り返し部１ｂ下端部に沿って、該下端部を断続してスリット状に切り込むことにより、切り取りして形成された切取部であることを特徴とする紙製缶容器用オーバーキャップである。
【００１６】
本発明の請求項４に係る発明は、上記請求項２に係る紙製缶容器用オーバーキャップにおいて、前記紙製缶容器Ａのトップ部Ｔの折り返し部１ｂ下端部の内側凹陥部２８が、前記折り返し部１ｂ下端部に沿って、該下端部を断続して凹陥状にプレスすることにより形成された凹陥部であることを特徴とする紙製缶容器用オーバーキャップである。
【００１７】
本発明の請求項５に係る発明は、上記請求項２に係る紙製缶容器用オーバーキャップにおいて、前記紙製缶容器Ａのトップ部Ｔの折り返し部１ｂ下端部の内側凹陥部２８が、前記折り返し部１ｂ下端と天板部１６上面との間に形成された間隙部であることを特徴とする紙製缶容器用オーバーキャップである。
【発明の効果】
【００１８】
削除。
【００１９】
本発明の紙製缶容器用オーバーキャップＢによれば、図２に示すように、前記天板部２２の外周には、少なくとも、その天板部２２内面側がトップ部Ｔの上端縁に沿って平行なリング状の平坦部２４を設けたので、キャップＢを紙製缶容器Ａのトップ部Ｔに被覆し施蓋した際には、キャップＢは、筒状側部２１と天板部２２との間の高さに形成された平坦部２４が、トップ部Ｔの上端部に当接して、それにより施蓋時のキャップＢ本体の下方への必要以上の移動を停止できるものである。
【００２０】
また本発明の紙製缶容器用オーバーキャップＢによれば、図２に示すように、前記天板部２２と平坦部２４との間に、トップ部Ｔ上端内周面の折り返し部１ｂに向かって圧接する内側突起部２５を設けたので、キャップＢを紙製缶容器Ａのトップ部Ｔに被覆し施蓋した際には、キャップＢの筒状側部２１にある突起部２３が、トップ部Ｔの外周面に圧接し
、さらに、前記天板部２２と平坦部２４との間の突起部２５が、トップ部Ｔ上端内周面の折り返し部１ｂに向かって圧接する。そのため、紙製缶容器Ａトップ部Ｔの上端部は、その内外周面から挟持されて、オーバーキャップＢは、紙製缶容器のトップ部Ｔに良好に固定された状態で施蓋することが可能となる。
【００２１】
削除。
【００２２】
削除。
【００２３】
また本発明の紙製缶容器用オーバーキャップＢによれば、図５に示すように、紙製缶容器Ａのトップ部Ｔの内周面に嵌合する筒状側部２１と、該筒状側部２１の上部に設けた天板部２２とから構成され、該筒状側部２１は、天板部２２側の上部筒状側部２１ａと下部筒状側部２１ｂとからなり、上部筒状側部２１ａと下部筒状側部２１ｂとの境界相当部分には、トップ部Ｔの内周上端面に沿って、リング状に連続又は断続して該下部筒状側部２１ｂ外周面より突出する突起部２１ｃを設けたので、キャップＢを紙製缶容器Ａのトップ部Ｔに被覆し施蓋した際には、キャップＢは、上部筒状側部２１ａと下部筒状側部２１ｂとの境界相当部分の高さに設けた突起部２１ｃが、トップ部Ｔの内周上端部に当接して、それにより、施蓋時におけるキャップＢ本体の下方への必要以上の移動を停止できるものである。
【００２４】
また本発明の紙製缶容器用オーバーキャップＢによれば、図５に示すように、キャップＢの下部筒状側部２１ｂの下端部に突起部２７を設け、前記紙製缶容器Ａのトップ部Ｔ内周下端部の折り返し部１ｂ下端と、天板部１６上面との間には、内側凹陥部２８を設けたので、キャップＢの筒状側部２１を紙製缶容器Ａのトップ部Ｔの内周面に嵌入して、キャップＢをトップ部Ｔに被覆し施蓋した際には、キャップＢは、下部筒状側部２１ｂ下端部の突起部２７が、トップ部Ｔ内周下端部の前記凹陥部２８内に入り込み嵌合して、そのため、オーバーキャップＢは、紙製缶容器のトップ部Ｔに良好に固定された状態で施蓋することが可能となる。
【発明を実施するための最良の形態】
【００２５】
本発明の紙製缶容器用オーバーキャップの実施及び参考の形態を、図面に基づいて以下に詳細に説明する。なお、本発明のオーバーキャップを施蓋用として使用する紙製缶容器は、従来の技術及び図７（ａ）〜（ｅ）にて説明したように製缶され、液体内容物が充填密封されるものである。
【００２６】
図１は、本発明の第一の参考の形態を説明する側断面図であり、本発明の実施及び参考の形態のオーバーキャップＢを施蓋用として使用する紙製缶容器Ａは、円筒状あるいは角筒状（角丸四角筒状）の筒状胴部１０と、該筒状胴部１０下端内周面及びその折り返し部１ａ内面にて底板部１５の貼着部１５ａがヒートシールされて取り付けられた底板部１５を備えるボトム部Ｄ（図７（ｅ）参照）と、該筒状胴部１０上端の内周面及びその折り返し部１ｂ内面にて天板部１６の貼着部１６ａがヒートシールされて取り付けられた天板部１６を備えるトップ部Ｔとから構成されている。
【００２７】
図１に示すように、本発明の第一の参考の形態におけるオーバーキャップＢは、前記紙製缶容器Ａのトップ部Ｔの部位に施蓋されるものであるが、トップ部Ｔの天板部１６には飲口部１６ｂが孔設され、容器Ａ内に液体内容物が充填された後は、飲口部１６ｂは、引っ張り剥離性（ピールオフ性）のプルタブシート１６ｆが天板部１６表面に貼着されて密封されている状態か、あるいはプルタブシート１６ｆが剥離されて飲口部１６ｂが開口している状態である。
【００２８】
本発明の第一の参考の形態におけるオーバーキャップＢは、紙製缶容器Ａのトップ部Ｔの外周面に嵌合する筒状側部２１と、その筒状側部２１の上部に設けた天板部２２とから構成され、前記筒状側部２１の内周面には、トップ部Ｔの外周面に向かって圧接し、且つ該トップ部Ｔの外周面に沿って、リング状に連続又は断続して突出する突起部２３（又はトップ部Ｔの外周面が向かって筒状側部２１が凹む形状の突出する突起部２３）が設けられている。前記天板部２２の外周には、少なくともその内面側が、トップ部Ｔの上端縁に沿って平行なリング状の平坦部２４が設けられている。
【００２９】
上記第一の参考の形態のオーバーキャップＢは、そのキャップＢを、その筒状側部２１の筒内に紙製缶容器Ａのトップ部Ｔを嵌入して装着し施蓋した際に、図１に示すように、トップ部Ｔの外周面に上記キャップＢの突起部２３が、トップ部Ｔの上端部外周面に向かって、連続又は断続してリング状に圧接して、紙製缶容器Ａのトップ部Ｔに脱着可能に固定される。
【００３０】
また、上記第一の参考の形態のオーバーキャップＢは、そのキャップＢを、その筒状側部２１の筒内に紙製缶容器Ａのトップ部Ｔを嵌入して装着し施蓋した際に、図１に示すように、トップ部Ｔの上端面に上記キャップＢの平坦部２４（その内面）が当接して、それにより施蓋時のキャップＢ本体の下方への必要以上の移動が停止し、必要な深さにて施蓋される。
【００３１】
図２は、本発明の第一の実施の形態におけるオーバーキャップＢであり、図１に示す上記第一の参考の形態の紙製缶容器用オーバーキャップにおいて、前記天板部２２と平坦部２４との間に、トップ部Ｔ上端内周面の内方に向かって突出し、且つその内周面の折り返し部１ｂに向かって圧接する内側突起部２５が、該折り返し部１ｂに沿って、リング状に連続又は断続して設けられているものである。
【００３２】
上記第一の実施の形態のオーバーキャップＢは、そのキャップＢを、その筒状側部２１の筒内に紙製缶容器Ａのトップ部Ｔを嵌入して装着し施蓋した際に、図２に示すように、キャップＢの突起部２３が、トップ部Ｔの上端部外周面に向かってリング状に圧接すると共に、該キャップＢの内側突起部２５が、トップ部Ｔ上端内周面に向かって圧接し、突起部２３と突起部２５とによってトップ部Ｔの上端部が挟持されて、紙製缶容器Ａのトップ部Ｔに脱着可能に固定される。
【００３３】
図３は、本発明の第二の参考の形態のオーバーキャップＢであり、図１に示す上記第一の参考の形態の紙製缶容器用オーバーキャップにおいて、紙製缶容器Ａは、筒状胴部１０上端部外周面に沿って、前記筒状側部２１の内周面に設けた突起部２３が嵌合する外側嵌合凹部２６が断続して（又は連続して）設けられている。
【００３４】
なお、筒状胴部１０上端部外周面に沿う前記外側嵌合凹部２６の形成においては、胴部原紙１（図７（ａ）参照）のトップ部Ｔ側における折り返し部１ｂの領域より下方の胴部原紙１に、該折り返し部１ｂの近傍に沿って断続してスリット状に穿設部を設けて製缶することにより、筒状胴部１０上端部外周面に沿った前記外側嵌合凹部２６が断続して形成される。
【００３５】
上記第二の参考の形態のオーバーキャップＢは、そのキャップＢを、その筒状側部２１の筒内に紙製缶容器Ａのトップ部Ｔを嵌入して装着し施蓋した際に、図３に示すように、キャップＢの突起部２３が、トップ部Ｔの上端部外周面に沿って設けた外側嵌合凹部２６内に入り込んで嵌合されて、紙製缶容器Ａのトップ部Ｔに脱着可能に固定される。
【００３６】
図４は、本発明の第三の参考の形態のオーバーキャップＢであり、図２に示す上記第一
の実施の形態の紙製缶容器用オーバーキャップにおいて、紙製缶容器Ａは、筒状胴部１０上端部外周面に沿って、前記筒状側部２１の内周面に設けた突起部２３が嵌合する外側嵌合凹部２６が、断続して（又は連続して）設けられている。
【００３７】
上記第三の参考の形態のオーバーキャップＢは、そのキャップＢを、その筒状側部２１の筒内に紙製缶容器Ａのトップ部Ｔを嵌入して装着し施蓋した際に、図４に示すように、キャップＢの突起部２３が、トップ部Ｔの上端部外周面に沿って設けた外側嵌合凹部２６内に入り込んで嵌合されて、トップ部Ｔの上端部外周面に向かってリング状に圧接する。一方、キャップＢの内側突起部２５が、トップ部Ｔ上端内周面に向かって圧接して、トップ部Ｔの上端部の嵌合凹部２６内に係合してトップ部Ｔの上端部の外周面（天板部１６の貼着部１６ａ外面）を圧接する突起部２３と、トップ部Ｔの上端部内周面を圧接する突起部２５とによって、トップ部Ｔの上端部が挟持されて、紙製缶容器Ａのトップ部Ｔに脱着可能に固定される。
【００３８】
図５は、本発明の第二の実施の形態のオーバーキャップＢであり、このオーバーキャップＢが施蓋される紙製缶容器Ａは、筒状胴部１０と、該筒状胴部１０下端内周面及びその折り返し部１ａ内面にて底板部１５の貼着部１５ａがヒートシールされて取り付けられた底板部１５を備えるボトム部Ｄ（図７（ｅ）参照）と、該筒状胴部１０上端の内周面及びその折り返し部１ｂ内面にて天板部１６の貼着部１６ａがヒートシールされて取り付けられた天板部１６を備えるトップ部Ｔとから構成され、該トップ部Ｔの前記折り返し部１ｂ下端部と天板部１６上面との間には、該折り返し部１ｂ下端部と天板部１６の貼着部１６ａとにより形成される段差による内側凹陥部２８が設けられている。
【００３９】
本発明の第二の実施の形態のオーバーキャップＢは、図５に示すように、紙製缶容器Ａのトップ部Ｔの内周面に嵌合する筒状側部２１と、該筒状側部２１の上部に設けた天板部２２とから構成されていて、前記筒状側部２１は、天板部２２側の上部筒状側部２１ａと下部筒状側部２１ｂとから構成されている。
【００４０】
前記上部筒状側部２１ａと下部筒状側部２１ｂとの境界相当部分には、トップ部Ｔの内周上端面に沿って、リング状に連続又は断続して、該下部筒状側部２１ｂ外周面より突出する突起部２１ｃが設けられ、前記下部筒状側部２１ｂの下端部には、リング状に連続又は断続して突起部２７が設けられている。
【００４１】
上記第二の実施の形態のオーバーキャップＢは、図５に示すように、そのキャップＢをその筒状側部２１を紙製缶容器Ａのトップ部Ｔ上端部内周側（折り返し部１ｂ内周側）に嵌入して装着し施蓋した際に、キャップＢの下部筒状側部２１ｂ外周面より外側方向に突出する突起部２１ｃが、トップ部Ｔの上端部に当接して、それにより施蓋時のキャップＢ本体の下方への必要以上の移動が停止し、必要な深さにて施蓋される。
【００４２】
また、上記第二の実施の形態のオーバーキャップＢは、図５に示すように、そのキャップＢをその筒状側部２１を紙製缶容器Ａのトップ部Ｔ上端部内周側（折り返し部１ｂ内周側）に嵌入して装着し施蓋した際に、トップ部Ｔ上端部内周に折り返し部１ｂ下端部と天板部１６の貼着部１６ａとにより形成される内側凹陥部２８内に、前記筒状側部２１の下部筒状側部２１ｂ下端部に設けた突起部２７が嵌合して、紙製缶容器Ａのトップ部Ｔに脱着可能に固定される。
【００４３】
なお本発明においては、上記第二の実施の形態のオーバーキャップＢにおける内側凹陥部２８は、図５に示すように、紙製缶容器Ａのトップ部Ｔの折り返し部１ｂ下端部と、天板部１６上面との間に、該折り返し部１ｂ下端部と、天板部１６の貼着部１６ａとにより形成される段差によるものの他に、胴部原紙１（図７（ａ）参照）のトップ部Ｔ側におけ
る折り返し部１ｂの領域内の胴部原紙１に、該折り返し部１ｂ（長手方向）に沿って断続してスリット状に穿設部を設けて製缶することにより、筒状胴部１０のトップ部Ｔの上端部内周面に沿った前記内側凹陥部２８がトップ部Ｔの折り返し部１ｂ下端部の領域内に断続して形成される。
【００４４】
図６（ａ）、（ｂ）は、紙製缶容器Ａのトップ部Ｔに装着され施蓋された本発明のオーバーキャップＢの一実施例を示す外観斜視図であり、（ａ）は、上記第一の実施、第三の参考の形態におけるオーバーキャップＢ、（ｂ）は、上記第二の実施の形態におけるオーバーキャップＢであり、オーバーキャップＢの製造材料としては、本発明においては、特に限定されるものではないが、例えば、ポリエチレン、ポリプロピレン、ポリスチレン、ポリエチレンテレフタレート等のプラスチック類、又はアルミニウム等の金属類、又は紙類等がある。
【図面の簡単な説明】
【００４５】
【図１】本発明のオーバーキャップＢ及び施蓋された紙製缶容器Ａのトップ部Ｔの第一の参考の形態における側断面図。
【図２】本発明のオーバーキャップＢ及び施蓋された紙製缶容器Ａのトップ部Ｔの第一の実施の形態における側断面図。
【図３】本発明のオーバーキャップＢ及び施蓋された紙製缶容器Ａのトップ部Ｔの第二の参考の形態における側断面図。
【図４】本発明のオーバーキャップＢ及び施蓋された紙製缶容器Ａのトップ部Ｔの第三の参考の形態における側断面図。
【図５】本発明のオーバーキャップＢ及び施蓋された紙製缶容器Ａのトップ部Ｔの第二の実施の形態における側断面図。
【図６】本発明の実施又は参考の形態のオーバーキャップＢ及び施蓋された紙製缶容器Ａの外観斜視図。
【図７】（ａ）〜（ｅ）は、紙製缶容器Ａの製缶工程を説明する工程説明図。
【符号の説明】
【００４６】
Ａ…紙製缶容器
Ｂ…オーバーキャップ
Ｂ1 …開口部
Ｄ…ボトム部
Ｔ…トップ部
１…胴部原紙
１ａ、１ｂ…折り返し部
１０…筒状胴部
１１、１２…両端部
１３…サイド貼り合わせ部
１５…底板部
１５ａ…底板部貼着部
１６…天板部
１６ａ…天板部貼着部
１６ｂ…飲口部
１６ｆ…ピールオフフィルム
２１…側板部
２１ａ…上部側板部
２１ｂ…下部側板部
２１ｃ…突起部
２２…天板部
２３…突起部
２４…平坦部
２５…内側突起部 ２６…外側凹陥部
２７…突起部
２８…内側凹陥部
【図１】
0005195050.tif 000002
【図２】
0005195050.tif 000003
【図３】
0005195050.tif 000004
【図４】
0005195050.tif 000005
【図５】
0005195050.tif 000006
【図６】
0005195050.tif 000007
【図７】
0005195050.tif 000008